(57)【要約】【課題】  排水管２０の受け口２２にシール材２６を取付ける際に、邪魔にならない構成の求心治具１０を提供する。【解決手段】  本発明に係る求心治具は、シール材２６を備える排水管２０の受け口２２に他の配管を挿入接続する際に、その配管を排水管２０の受け口２２に対して同軸方向にガイドする求心治具１０であって、受け口２２の先端部２２ｆの内周面２２ｅと、その受け口２２の内側に配置されたシール材２６の先端面２６ｆとにより構成されるリング状の窪み部Ｋに対して嵌合可能に形成されている被嵌合部材１２と、窪み部Ｋに嵌め込まれた被嵌合部材１２の露出部分に形成されており、受け口２２に挿入される前記配管の端面を受けて、その配管を受け口２２に対して同軸方向にガイド可能なガイド面１４とを有している。【選択図】      図１
2006097327.tif 000002
【特許請求の範囲】
【請求項１】
シール材を備える排水管の受け口に他の配管を挿入接続する際に、その配管を前記排水管の受け口に対して同軸方向にガイドする求心治具であって、
前記受け口の先端部の内周面と、その受け口の内側に配置された前記シール材の先端面とにより構成されるリング状の窪み部に対して嵌合可能に形成されている被嵌合部材と、
前記窪み部に嵌め込まれた被嵌合部材の露出部分に形成されており、前記受け口に挿入される前記配管の端面を受けて、その配管を前記受け口に対して同軸方向にガイド可能なガイド面と、
を有することを特徴とする求心治具。
【請求項２】
請求項１に記載された求心治具であって、
被嵌合部材は、受け口の先端面を覆うフランジ部を備えていることを特徴とする求心治具。
【請求項３】
請求項１又は請求項２のいずれかに記載された求心治具であって、
ガイド面は、テーパ状に形成されていることを特徴とする求心治具。
【請求項４】
請求項１又は請求項２のいずれかに記載された求心治具であって、
ガイド面は、半径方向における断面形状が略凸円弧形に形成されていることを特徴とする求心治具。
【請求項５】
請求項１から請求項４のいずれかに記載された求心治具であって、
被嵌合部材は、耐火性の材料によりリング状に形成されており、受け口の先端部に固定可能な構成であることを特徴とする求心治具。
【請求項６】
請求項１から請求項４のいずれかに記載された求心治具であって、
被嵌合部材は、周方向において複数個に分割されており、排水管の受け口に配管が挿入接続された状態で、その受け口の内周面とシール材の先端面とからなる窪み部から取外し可能に構成されていることを特徴とする求心治具。
【請求項７】
請求項６に記載された求心治具であって、
被嵌合部材は、受け口の先端面を覆うフランジ部を備えており、
前記フランジ部の周縁には、複数の把手が半径方向外側に張出した状態で形成されていることを特徴とする求心治具。
【請求項８】
請求項６に記載された求心治具であって、
被嵌合部材は、受け口の先端面を覆うフランジ部を備えており、
前記フランジ部の周縁には、前記受け口の外周面に係合可能な複数の係合脚が形成されているとともに、複数の把手が半径方向外側に張出した状態で形成されていることを特徴とする求心治具。
【請求項９】
請求項６から請求項８のいずれかに記載された求心治具であって、
被嵌合部材とシール材の先端面との間には、隙間が形成されていることを特徴とする求心治具。
【発明の詳細な説明】
【技術分野】
【０００１】
本発明は、シール材を備える排水管の受け口に他の配管を挿入接続する際に、その配管を前記排水管の受け口に対して同軸方向にガイドする求心治具に関する。
【背景技術】
【０００２】
配管を排水管の受け口に挿入接続する際に、その配管を排水管の受け口に対して同軸方向にガイドする技術が特許文献１に記載されている。
特許文献１に係る排水管は、図１０に示すように、受け口９２を備える管継手９０である。管継手９０は、直短管９４の上端に受け口９２が形成されており、その受け口９２の内側に略筒状のシール材９６が嵌め込まれている。受け口９２の先端には、シール材９６の先端面９６ｕを覆うように内フランジ部９２ｆが形成されており、その内フランジ部９２ｆの内周縁に受け口９２と同軸にテーパ面９２ｘが形成されている。
上記構成により、管継手９０の受け口９２に挿入される配管（図示省略）は、テーパ面９２ｘによって受け口９２に対して同軸方向に導かれ、その配管はスムーズに受け口９２に差し込まれるようになる。
【０００３】
【特許文献１】特開２００２−３０３３８７号公報
【発明の開示】
【発明が解決しようとする課題】
【０００４】
しかし、上記した管継手９０では、受け口９２の先端に設けられた内フランジ部９２ｆの内側（下側）にシール材９６が配置される構成のため、シール材９６を受け口９２に取付ける際、その内フランジ部９２ｆが取付け作業の邪魔になる。
さらに、テーパ面９２ｘにより、内フランジ部９２ｆの内周縁のエッジが鋭角になるため、シール材９６を受け口９２に取付ける際、そのエッジの部分でシール材９６を傷付けるおそれがある。
【０００５】
本発明は、上記問題点を解決するためになされたものであり、本発明の技術的課題は、シール材取付け作業の妨げにならず、かつシール材を傷つけることがない求心治具を提供することである。
【課題を解決するための手段】
【０００６】
上記した課題は、各請求項の発明によって解決される。
請求項１の発明は、シール材を備える排水管の受け口に他の配管を挿入接続する際に、その配管を前記排水管の受け口に対して同軸方向にガイドする求心治具であって、前記受け口の先端部の内周面と、その受け口の内側に配置された前記シール材の先端面とにより構成されるリング状の窪み部に対して嵌合可能に形成されている被嵌合部材と、前記窪み部に嵌め込まれた被嵌合部材の露出部分に形成されており、前記受け口に挿入される前記配管の端面を受けて、その配管を前記受け口に対して同軸方向にガイド可能なガイド面とを有することを特徴とする。
ここで、排水管には、排水立て管、排水横枝管のみならず、排水管継手やソケット等も含むものとする。
【０００７】
本発明によると、求心治具の被嵌合部材は、受け口の先端部の内周面と、その受け口の内側に配置された前記シール材の先端面とにより構成されるリング状の窪み部に嵌め込まれるように構成されている。即ち、受け口にシール材を取付けた後に、求心治具をその受け口の先端部内側に装着する構成である。このため、受け口にシール材を取付ける際に、求心治具が邪魔にならず、シール材の取付け作業の効率が向上する。また、求心治具がシール材を傷つけるような不具合もない。
さらに、求心治具を受け口の窪み部に嵌め込んだ後は、その求心治具のガイド面の働きにより、前記配管を排水管の受け口に対して同軸方向にガイドできるようになる。
【０００８】
請求項２の発明によると、被嵌合部材は、受け口の先端面を覆うフランジ部を備えていることを特徴とする。このため、排水管の受け口に配管を挿入した後、求心治具を取外す際に、前記フランジ部を利用することで求心治具の取外しが容易になる。
請求項３の発明によると、ガイド面は、テーパ状に構成されていることを特徴とする。
請求項４の発明によると、ガイド面は、半径方向における断面形状が略凸円弧形に形成されていることを特徴とする。
このため、両ガイド面により配管を効率的に受け口と同軸方向にガイドできるようになる。
請求項５の発明によると、被嵌合部材は、耐火性の材料によりリング状に形成されており、受け口の先端部に固定可能な構成であることを特徴とする。
このため、排水管の受け口に配管を挿入接続した後、求心治具をそのままシール材の保護カバーとして使用することが可能になる。
【０００９】
請求項６の発明によると、被嵌合部材は、周方向において複数に分割されており、排水管の受け口に配管が挿入接続された状態で、受け口の内周面とシール材の先端面とからなる窪み部から取外し可能に構成されていることを特徴とする。
このため、求心治具を取外して再利用することが可能になる。
請求項７の発明によると、被嵌合部材は、受け口の先端面を覆うフランジ部を備えており、前記フランジ部の周縁には、複数の把手が半径方向外側に張出した状態で形成されていることを特徴とする。このため、把手およびフランジ部を利用することで、求心治具を容易に取外せるようになる。
請求項８の発明によると、被嵌合部材は、受け口の先端面を覆うフランジ部を備えており、前記フランジ部の周縁には、前記受け口の外周面に係合可能な複数の係合脚が形成されているとともに、複数の把手が半径方向外側に張出した状態で形成されていることを特徴とする。このように、フランジ部の周縁には、受け口の外周面に係合可能な複数の係合脚が形成されているため、被嵌合部材のガイド面が配管の端面によって押圧される際に、その被嵌合部材が受け口の内側に引き込まれるような不具合がない。
請求項９の発明によると、被嵌合部材とシール材の先端面との間には、隙間が形成されていることを特徴とする。このため、被嵌合部材がシール材と接触することがなく、被嵌合部材のガイド面が配管の端面によって押圧される際に、その押圧力がシール材に加わることがない。
【発明の効果】
【００１０】
本発明によると、排水管の受け口にシール材を取付ける際には、求心治具が妨げにならないため、シール材の取付け作業効率が向上する。また、求心治具がシール材を傷つけるような不具合もない。
【発明を実施するための最良の形態】
【００１１】
以下、図１〜図９に基づいて本発明の実施形態１に係る求心治具の説明を行う。本実施形態に係る求心治具は、排水管継手の上部受け口に排水立て管を挿入接続する際に使用される治具であり、図１にその求心治具の縦断面図および求心治具の取付け図が示されている。また、図２は求心治具の平面図、図３は求心治具の動作を表す縦断面図等である。さらに、図４〜図９は求心治具の変更例を表す縦断面図、平面図等である。
先ず、求心治具１０の説明を行う前に、その求心治具１０がセットされる排水管継手２０の説明を簡単に行う。
【００１２】
排水管継手２０は、集合住宅の上階の排水立て管３０（図３（Ａ）参照）と、下階の排水立て管（図示省略）とを接続するとともに、上階の排水横枝管（図示省略）を前記排水立て管に接続するための継手である。排水管継手２０は、図３（Ｂ）に示すように、略筒状の胴部２１を備えており、その胴部２１の上端部に上階の排水立て管３０が挿入接続される上部受け口２２が形成されている。また、胴部２１の下端部には、下階の排水立て管の受け口に挿入接続される直管部２３が形成されている。さらに、胴部２１の側面には、上階の排水横枝管が挿入接続される横受け口２４ａ，２４ｄが形成されている。
なお、図３（Ｂ）では、高さの異なる横受け口２４ａ，２４ｄを備える排水管継手２０を例示したが、横受け口２４ａ，２４ｄは周方向に向きを変えた状態で同一高さ位置に形成しても良い。また、胴部２１が上下に分割可能な構成の排水管継手２０を例示したが、胴部２１は一体形式のものであっても良い。
【００１３】
排水管継手２０の上部受け口２２は、図３（Ａ）に示すように、その上端にリング状の内フランジ部２２ｆを備えており、その内フランジ部２２ｆの内側にリング状溝２２ｍが形成されている。
上部受け口２２には、シール材２６が装着されている。シール材２６は、上部受け口２２の内周面をほぼ全体的に覆う筒部２６ｔと、その筒部２６ｔの上部内周に形成されたシール本体部２６ｘとから構成されている。シール本体部２６ｘは、上部受け口２２と排水立て管３０との間をシールする部分であり、断面略楔形をした複数（図３では三枚）のリング状襞が上部受け口２２の奥側に傾斜した状態で形成されている。
シール材２６の筒部２６ｔの上部外周には、フランジ部２６ｓが形成されており、そのフランジ部２６ｓが上部受け口２２のリング状溝２２ｍに嵌め込まれている。これによって、シール材２６の上部が上部受け口２２に固定されるようになる。さらに、上部受け口２２の上端には、内フランジ部２２ｆの内周面２２ｅとシール材２６の先端面２６ｆとによりリング状の窪み部Ｋが構成される。そして、その窪み部Ｋに後記する求心治具１０が嵌め込まれるようになっている。
シール材２６の筒部２６ｔの下部内周には、排水立て管３０の下端を受けるリング状の受け部２６ｒが形成されており、その受け部２６ｒが排水管継手２０の胴部２１の内周面に突出形成されたリング状の段差部２１ｄによって下方から支持されるようになっている。
【００１４】
次に、排水管継手２０の上部受け口２２に設けられた窪み部Ｋにセットされる求心治具１０の説明を行う。
求心治具１０は、上階の排水立て管３０を排水管継手２０の上部受け口２２に挿入する際に、その排水立て管３０の下端面を受けて、排水立て管３０を上部受け口２２に対して同軸方向にガイドするための治具である。求心治具１０は、図１、図２に示すように、上部受け口２２に設けられた窪み部Ｋに嵌め込み可能に構成された全周リング状の被嵌合部材１２を備えている。
被嵌合部材１２は、上部受け口２２の内フランジ部２２ｆの内周面２２ｅに対して面接触可能に構成された外周面１２ｒと、シール材２６の先端面２６ｆに対して面接触可能に構成された下面１２ｂとを備えている。そして、被嵌合部材１２の外周面１２ｒの高さ寸法Ｈが内フランジ部２２ｆの厚み寸法Ｈにほぼ等しく設定されている。また、被嵌合部材１２の下面１２ｂの幅寸法Ｗが内フランジ部２２ｆに対して半径方向内側に突出したシール材２６の先端面２６ｆの幅寸法にほぼ等しく設定されている。このため、求心治具１０の被嵌合部材１２が上部受け口２２の窪み部Ｋに嵌め込まれた状態で、その窪み部Ｋは被嵌合部材１２によって埋められるようになる。
【００１５】
上部受け口２２の窪み部Ｋに嵌め込まれた被嵌合部材１２の露出部分には、その上部受け口２２に挿入される排水立て管３０の下端面を受けて、その排水立て管３０を上部受け口２２に対して同軸方向にガイド可能なガイド面１４が形成されている。ガイド面１４は、図１等に示すように、半径方向における断面形状が凸円弧形に形成されている。このため、図３（Ａ）に示すように、排水立て管３０が排水管継手２０の上部受け口２２に挿入される際に、排水立て管３０の下端面は求心治具１０のガイド面１４に当接して、そのガイド面１４により上部受け口２２に対して同軸方向にガイドされる。このとき、ガイド面１４が断面凸円弧形に形成されているため、その排水立て管３０の下端面が求心治具１０のガイド面１４に引っ掛かり難くなる。
求心治具１０の材料としては、鉄やステンレスのみならず、ポリプロピレン等の樹脂を使用することが可能である。
求心治具１０は、上部受け口２２の窪み部Ｋに嵌め込まれた状態で、接着剤等により上部受け口２２およびシール材２６に接着される。このため、求心治具１０は、排水立て管３０の挿入時に使用された後は、シール材２６の保護部材として引き続き利用される。即ち、排水立て管３０が排水管継手２０の上部受け口２２に挿入接続された状態で、排水立て管３０と上部受け口２２との隙間は求心治具１０によって塞がれるようになる（図３（Ａ）参照）。
【００１６】
上記したように、本実施形態に係る求心治具１０の被嵌合部材１２は、上部受け口２２の先端部の内周面２２ｅと、その上部受け口２２の内側に配置されたシール材２６の先端面２６ｆとにより構成されるリング状の窪み部Ｋに嵌め込まれるように構成されている。即ち、上部受け口２２にシール材２６を取付けた後に、求心治具１０をその上部受け口２２の先端部内側に装着できるようになる。このため、上部受け口２２にシール材２６を取付ける際には、求心治具１０が邪魔になるようなことがなく、シール材２６の取付け作業性が向上する。また、求心治具１０がシール材２６を傷つけるような不具合もない。
また、ガイド面１４は、半径方向における断面形状が略凸円弧形に形成されているため、そのガイド面１４により排水立て管３０を効率的に上部受け口２２と同軸方向にガイドできるようになる。
また、被嵌合部材１２を耐火性の材料により形成することで、排水管継手２０の上部受け口２２に排水立て管３０を挿入した後、求心治具１０をそのままシール材２６の耐火カバーとして使用できるようになる。
【００１７】
ここで、本実施形態に係る求心治具１０では、ガイド面１４を断面凸円弧形に形成する例を示したが、図４（Ａ）、（Ｂ）に示すように、テーパ状に形成することも可能である。
図５〜図９は、本実施形態に係る求心治具１０の変更例を表している。
変更例に係る求心治具５０は、図６に示すように、全周リング状に形成されており、さらに、図５（Ａ）〜（Ｃ）に示すように、被嵌合部材５２の外周縁に上部受け口２２の先端面２２ｙを覆うフランジ部５２ｆが形成されている。ここで、図５では、求心治具５０のフランジ部５２ｆの外径寸法が上部受け口２２の外径寸法よりも小さい例を示したが、そのフランジ部５２ｆの外径寸法を上部受け口２２の外径寸法よりも大きくしても良いし、等しくしても良い。このように、被嵌合部材５２の外周縁にフランジ部５２ｆが形成されているため、排水管継手２０の上部受け口２２に排水立て管３０を挿入接続した後、求心治具５０をシール材２６の耐火カバーとして使用する際に、耐火性能が向上する。
また、求心治具５０を、図８（Ａ）に示すように、半割リング状に形成することにより、排水管継手２０の上部受け口２２に排水立て管３０を挿入した後、その求心治具５０を取外すことも可能になる。この場合、フランジ部５２ｆおよびそのフランジ部５２ｆの周縁に形成された把手５２ｈを利用することで、求心治具５０を排水管継手２０の上部受け口２２から取外し易くなる。また、図８（Ｂ）に示すように、被嵌合部材５２をＣリング状に形成することも可能である。被嵌合部材５２をＣリング状に形成することにより、半割リング状に形成する場合よりも、その被嵌合部材５２を上部受け口２２の窪み部Ｋに装着する際、装着性が向上する。さらに、図７（Ａ）（Ｂ）に示すように、求心治具５０のフランジ部５２ｆの下面５２ｚから被嵌合部材５２の下面５２ｂまでの寸法を、上部受け口２２の内フランジ部２２ｆの厚み寸法Ｈよりも寸法Ｈ０だけ小さくして、被嵌合部材５２とシール材２６の先端面２６ｆとの間に隙間Ｈ０を形成することも可能である。これによって、被嵌合部材５２がシール材２６と接触することがなく、被嵌合部材５２のガイド面５４が上階の排水立て管３０の下端面に押圧されているときに、その押圧力がシール材２６に加わることがない。
【００１８】
また、図９（Ａ）（Ｂ）に示すように、半割リング状に形成された被嵌合部材５２のフランジ部５２ｆの幅寸法を上部受け口２２の内フランジ部２２ｆの幅寸法よりも大きくし、外側に張出したフランジ部５２ｆの周縁下側に上部受け口２２の外周面２２ｒと係合する係合脚５２ｙを設けることも可能である。係合脚５２ｙは、上部受け口２２の外周面２２ｒと面接触可能なように、その上部受け口２２の外周面２２ｒと等しい曲率半径の平面円弧形に形成するのが好ましい。このように、求心治具５０のフランジ部５２ｆに係合脚５２ｙを設けることで、被嵌合部材５２のガイド面５４が排水立て管３０の下端面に押圧される際に、その被嵌合部材５２が上部受け口２２の内側に引き込まれるような不具合がない。
なお、図９に示す求心治具５０の場合、被嵌合部材５２とシール材２６の先端面２６ｆとの間に隙間は設けられていない。
ここで、求心治具５０のガイド面５４は、図５（Ａ）に示すように、テーパ状に構成しても良いし、図５（Ｂ）に示すように、断面形状が凸円弧形に形成しても良い。
また、本実施形態では、排水管継手２０の上部受け口２２にセットされる求心治具１０，５０を例示したが、求心治具１０，５０を排水立て管の受け口、あるいは排水横枝管等の受け口にセットできるようにすることも可能である。
また、求心治具５０を全周リング状、半割リング状あるいはＣリング状に形成する例を示したが、求心治具５０を複数の円弧片から構成し、それらの円弧片を所定間隔で上部受け口２２の窪み部Ｋに嵌め込むようにすることも可能である。
【図面の簡単な説明】
【００１９】
【図１】本発明の実施形態１に係る求心治具の縦断面図（Ａ図）およびその求心治具の取付け図（Ｂ図）である。
【図２】求心治具の平面図である。
【図３】求心治具の動作を表す縦断面図（Ａ図）および排水管継手の全体縦断面図（Ｂ図）である。
【図４】求心治具の変更例を表す縦断面図（Ａ図）およびその求心治具の取付け図（Ｂ図）である。
【図５】求心治具の変更例を表す縦断面図（Ａ図、Ｂ図）およびその求心治具の取付け図（Ｃ図）である。
【図６】求心治具の変更例を表す平面図である。
【図７】求心治具の変更例を表す縦断面図（Ａ図）およびその求心治具の取付け図（Ｂ図）である。
【図８】求心治具の変更例を表す平面図（Ａ図、Ｂ図）である。
【図９】求心治具の変更例を表す縦断面図（Ａ図）および平面図（Ｂ図）である。
【図１０】求心構造を備える従来の管継手の平面図（Ａ図）および縦断面図（Ｂ図）である。
【符号の説明】
【００２０】
１０    求心治具
２０    排水管継手（排水管）
２２    上部受け口（受け口）
２２ｆ  内フランジ部（先端部）
２２ｅ  内周面
２６    シール材
２６ｆ  先端面
Ｋ      窪み部
１２    被嵌合部材
１２ｆ  フランジ部
１４    ガイド面
５０    求心治具
５２ｆ  フランジ部
５２ｙ  係合脚
５２ｈ  把手
【図１】
2006097327.tif 000003
【図２】
2006097327.tif 000004
【図３】
2006097327.tif 000005
【図４】
2006097327.tif 000006
【図５】
2006097327.tif 000007
【図６】
2006097327.tif 000008
【図７】
2006097327.tif 000009
【図８】
2006097327.tif 000010
【図９】
2006097327.tif 000011
【図１０】
2006097327.tif 000012